(57)【要約】【課題】利用者の使い勝手性を損なうことなく、非接触ＩＣカード，あるいはＩＣカード機能を備えた携帯電話をカードリーダ／ライタのカードタッチエリアにタッチさせる際に、多少乱暴にタッチしても携帯電話に傷が付くのを防護できるように改良する。【解決手段】データ通信用のアンテナおよび信号処理部を内蔵したカードリーダ／ライタの本体ケース５の主面に前記アンテナに対応するカードタッチエリア６を形成した非接触ＩＣカードリーダ／ライタにおいて、前記カードタッチエリアの表面をシート状の軟質保護材で被覆するものとし、具体的には裏面にＩＣカードのロゴマークなどを印刷ないし貼付けた透明，軟質なポッティング樹脂シートを本体ケースのカードタッチエリアの表面に貼着する。【選択図】        図１
2006209167.tif 000002
【特許請求の範囲】
【請求項１】
非接触ＩＣカードとの間でデータの読取／書込を行う非接触ＩＣカードリーダ／ライタであって、データ通信用のアンテナおよび信号処理部を内蔵した本体のケース主面に前記アンテナに対応するカードタッチエリアを形成したものにおいて、前記カードタッチエリアの表面をシート状の軟質保護材で被覆したことを特徴とする非接触ＩＣカードリーダ／ライタ。
【請求項２】
請求項１記載の非接触ＩＣカードリーダ／ライタにおいて、軟質保護材がその裏面にロゴマークなどを印刷ないし貼付けた透明，軟質なポッティング樹脂シートであり、該シートを本体ケースのカードタッチエリアに貼着したことを特徴とする非接触ＩＣカードリーダ／ライタ。
【発明の詳細な説明】
【技術分野】
【０００１】
本発明は、ＰＯＳ端末による料金決済処理システムなどに適用する非接触ＩＣカードリーダ／ライタに関し、詳しくはその組立構造に係わる。
【背景技術】
【０００２】
周知のように非接触ＩＣカードリーダ／ライタは、非接触ＩＣカードとの間でＲＦ方式によりデータの読取／書込を行う端末機器であり、デビットカード，電子マネー，あるいはＩＣカード機能を備えた携帯電話などを使って店頭で代金の電子決済を行うＰＯＳシステムでは、ＰＯＳ端末の本体に非接触ＩＣカードリーダ／ライタを一体に組み込んだもの、あるいは独立の単体型になる非接触ＩＣカードリーダ／ライタをＰＯＳ端末の本体に接続して使用するものが知られている（例えば、特許文献１参照）。
この非接触ＩＣカードリーダ／ライタは、本体ケースにデータ通信用のアンテナ（ループアンテナ）および信号処理部（ＲＦモジュール，ホスト／カードリーダ間のインターフェース）を内蔵しおり、本体ケースの表面には非接触ＩＣカード，携帯電話などをタッチさせて前記アンテナとの間でデータの送受信を行うカードタッチエリアが形成されている。なお、単体型の非接触ＩＣカードリーダ／ライタについては、レジカウンターなどの上に載せて使用する据置型、あるいは壁に取付けて使用する壁掛型の各種製品も市販されている。
【特許文献１】特開２００４−５０３４号公報（図２、図９）
【発明の開示】
【発明が解決しようとする課題】
【０００３】
ところで、前記リーダ／ライタの本体ケースは通常ＡＢＳ樹脂などの硬質な樹脂モールド品で作られているため、本体ケースのカードタッチエリア硬質な樹脂面がそのまま剥き出しになっていると、利用者が手に持った携帯電話を多少乱暴にカードタッチエリアへタッチさせた際の衝撃で携帯電話のケースに傷が付くおそれがある。
そこで、本発明は、利用者の使い勝手性を損なうことなく、手に持った非接触ＩＣカード，あるいは携帯電話をカードリーダ／ライタのカードタッチエリアにタッチさせる際に、多少乱暴にタッチしても携帯電話に傷が付くのを安全に防護できるように改良した非接触ＩＣカードリーダ／ライタを提供することを目的とする。
【課題を解決するための手段】
【０００４】
上記目的を達成するために、本発明によれば、データ通信用のアンテナおよび信号処理部を内蔵した本体のケース主面に前記アンテナに対応するカードタッチエリアを形成した非接触ＩＣカードリーダ／ライタにおいて、前記カードタッチエリアの表面をシート状の軟質保護材で被覆するものとし(請求項１)、その具体的態様として、軟質保護材がその裏面にロゴマークなどを印刷ないし貼付けた透明，軟質なポッティング樹脂シートであり、該シートを本体ケースのカードタッチエリアに貼着する(請求項２)。
【発明の効果】
【０００５】
上記の構成によれば、本体ケースのカードタッチエリアの面域がポッティング樹脂シートなどの軟質な保護材で覆われており、本体ケースのモールド樹脂（硬質樹脂）面がそのまま剥き出してない。これにより、利用者がＩＣカード，携帯電話をカードタッチエリアにタッチさせた際に、前記の軟質保護材がクッションとなって携帯電話が本体ケースに突き当たって傷つくのを防止できる。また、このポッティング樹脂シートの表面はケース本体の樹脂に比べて滑り難く、ここにタッチしたＩＣカード，携帯電話から手を離した場合の滑落を防ぐことができなど利用者の使い勝手性が向上する。
【発明を実施するための最良の形態】
【０００６】
以下、本発明の実施の形態を図１〜図３に示す実施例に基づいて説明する。
まず、図３（ａ）〜（ｃ）に非接触ＩＣカードリーダ／ライタの構造（後述するポッティング樹脂シートを貼着する前の状態）を示す。図において、１はカードリーダ／ライタの本体、２は本体１をホールドする据置／壁掛け両用の台座（ホルダー）、３は本体１をホスト（例えばＰＯＳ端末）に接続する配線ケーブル、４は接続コネクタである。
ここで、本体１は、データ通信用のアンテナおよび信号処理部（ＲＦモジュール，ホスト／カードリーダ間のインターフェース）が箱体形状の本体ケース（例えば、ＡＢＳ樹脂のモールドケース）５に組み込まれており、この本体ケース５の主面側には前記アンテナに対応する面域に台形状に膨出したカードタッチエリア６が形成され、またこのカードタッチエリア６に並べて後部側には情報表示部（カード情報およびカード操作法を表示する液晶パネル）７を備え、さらにカードタッチエリア６の手前側には該エリアに沿って本体ケース５の主面から前方に突き出す衝立状のカード支持フェンス８を設けている。
【０００７】
また、前記の台座２はその前後端Ａ，Ｂの底面からの高さが異なる（Ａ＜Ｂ）異形の箱体構造体になり、台座側に設けた係合爪（図示せず）を介して本体１の背面に掛止結合するようにしている。
なお、９は電子決済に使用する非接触ＩＣカード（例えば、電子マネーカード）である。
前記のカードリーダ／ライタを据置き形態で使用する場合には、図３（ｂ）で示すように台座２の背の低い端縁Ａを手前側（利用者から見て）に、背の高い端縁Ｂを後ろ側に向けてテーブルの上に置き、この上に本体ケース５を図示のように支持フェンス８が手前側に来るような倒置姿勢に重ねて台座２に掛止ホールドさせる。
この取付け状態では、本体１の主面が斜め上方を向いており、利用者はカードタッチエリア６へのＩＣカード９，携帯電話のタッチ操作が楽に行え、また情報表示部７の画面も見やすくなる。
【０００８】
一方、カードリーダ／ライタを壁掛け形態で使用する場合には、図３（ｃ）で示すように背の高い端縁Ｂを下に、背の低い端縁Ａを上に向けて台座２を壁面に掛け止めした上で、台座２の前面に本体ケース５を図示のように支持フェンス８が下側となるような縦向き姿勢に重ねて掛止ホールドさせる。この取付け状態では、図示のように本体１の主面が斜め前方を向くようになるので、図３（ｂ）の据置け形態と同様にＩＣカード９のタッチ操作，表示情報の目視確認が容易に行える。また、カードタッチエリア６にタッチさせたＩＣカード９から手を離しても、カードが支持フェンス８に下支えされるのでデータの送受信を正常に行える。
そして、上記構造のカードリーダ／ライタの本体１に対して、本発明では本体ケース５の主面に形成したカードタッチエリア６に、次記のように軟質なシート状の保護材を被覆するようにしており、その詳細構造を図１，図２で説明する。
【０００９】
すなわち、図１（ａ），（ｂ）で示すように本体ケース５の主面に形成した台形状のカードタッチエリアの表面には保護材として銘板を兼ねたポッティング樹脂シート１０が貼着されている。
このポッティング樹脂シート１０は、図２（ａ），（ｂ）で示すように、例えば透明，軟質なウレタンゴムを素材として厚さ２mm程度に樹脂盛り成形したポッティング樹脂シートで、その裏面には電子マネーのロゴマーク１０ａが印刷され、さらにシートの裏面全域に粘着剤が塗布されており、その粘着面をカードタッチエリア６の表面に重ね合わせて貼着する。
これにより、電子決済を行う利用者がＩＣカード機能付き携帯電話をカードリーダ／ライタのカードタッチエリア６に多少乱暴にタッチしても、ポッティング樹脂シート１０がクッションになって携帯電話に傷が付くのを防護する。また、前記材質のポッティング樹脂シート１０はカードリーダ／ライタの本体ケース（ＡＢＳ樹脂製）に比べて滑り難く（摩擦抵抗が大）、図３（ｂ）のような据付け形態に設置したカードリーダ／ライタのカードタッチエリア６（利用者に向けて上向きに傾斜している）にＩＣカード９を載せて手を離しても、ＩＣカード９がカードタッチエリア６の傾斜面を滑落することなく保持してデータの送受信を行うことができる。
【００１０】
なお、図示実施例ではカードタッチエリア６の軟質保護材として、低コストで入手できるポッティング樹脂シート１０を貼着しているが、それ以外の材質の保護材を使用することも可能である。また、シートの裏面にロゴマーク１０ａを印刷する代わりに、ロゴマークを印刷したラベルを貼り付け、両面粘着テープを使ってカードタッチエリアに貼着してもよい。
【図面の簡単な説明】
【００１１】
【図１】本発明の実施例によるカードリーダ／ライタ本体の構成図で、（ａ）は本体の外観斜視図、（ｂ）は（ａ）におけるカードタッチエリア部分の断面図
【図２】図１におけるポッティング樹脂シートを表す図で、（ａ），（ｂ）はそれぞれ平面図，および断面図
【図３】図１に示した本体に台座を組み合わせたカードリーダ／ライタの構成図で、（ａ）はポッティング樹脂シートを被着する以前の状態を表す平面図、（ｂ），（ｃ）はそれぞれ据付け，壁掛け形態での使用状態を表す側面図
【符号の説明】
【００１２】
１    カードリーダ／ライタの本体
２    台座
５    本体ケース
６    カードタッチエリア
７    情報表示部
９    非接触ＩＣカード
１０    ポッティング樹脂シート（軟質保護材）
１０ａ  ロゴマーク
１０ｂ  粘着剤
【図１】
2006209167.tif 000003
【図２】
2006209167.tif 000004
【図３】
2006209167.tif 000005